(57)【特許請求の範囲】
【請求項１】
複数の点光源と、複数のマイクロレンズが配列されたマイクロレンズアレイと、複数の透光窓部を備えた光変調素子とを有する電気光学装置であって、
前記マイクロレンズアレイにより、前記複数の点光源からの光が前記透光窓部に集光するよう構成されており、
前記点光源からの光が前記各透光窓部を貫く面上に結像し、前記面における前記点光源の像の第１の方向の長さが、前記透光窓部の前記第１の方向の長さより長く、かつ、前記面における前記点光源の像の前記第１の方向に対して垂直な第２の方向の長さが、前記透光窓部の前記第２の方向の長さより短くなるよう構成されていることを特徴とする電気光学装置。
【請求項２】
複数の点光源と、複数のマイクロレンズが配列されたマイクロレンズアレイと、複数の透光窓部を備えた光変調素子とを有する電気光学装置であって、
前記マイクロレンズアレイにより、前記複数の点光源からの光が前記透光窓部に集光するように、前記点光源と、前記マイクロレンズアレイのマイクロレンズと、前記透光窓部とが配置されており、
前記点光源からの光が前記各透光窓部を貫く面上に結像し、前記面における前記点光源の像の第１の方向の長さが、前記透光窓部の前記第１の方向の長さより長く、かつ、前記面における前記点光源の像の前記第１の方向に対して垂直な第２の方向の長さが、前記透光窓部の前記第２の方向の長さより短くなるよう構成されていることを特徴とする電気光学装置。
【請求項３】
複数の点光源と、複数のマイクロレンズが配列されたマイクロレンズアレイと、複数の透光窓部を備えた光変調素子とを有する電気光学装置であって、
前記マイクロレンズアレイのマイクロレンズが、前記複数の点光源からの光を前記複数の透光窓部に集光させるように、前記点光源と、前記マイクロレンズアレイのマイクロレンズと、前記透光窓部とが配置されており、
前記点光源からの光が前記各透光窓部を貫く面上に結像し、前記面における前記点光源の像の第１の方向の長さが、前記透光窓部の前記第１の方向の長さより長く、かつ、前記面における前記点光源の像の前記第１の方向に対して垂直な第２の方向の長さが、前記透光窓部の前記第２の方向の長さより短くなるよう構成されていることを特徴とする電気光学装置。
【請求項４】
前記点光源からの光が前記各透光窓部を貫く面上に結像し、前記面内の第１の方向において、前記透光窓部が、前記面における前記点光源の像に包含され、かつ、前記面内の前記第１の方向に対して垂直な第２の方向において、前記面における前記点光源の像が、前記透光窓部に包含されるよう構成されている請求項１ないし３のいずれかに記載の電気光学装置。
【請求項５】
前記面における前記点光源の像の輪郭は、前記第１の方向と略平行な一対の直線状の部分を有する請求項１ないし４のいずれかに記載の電気光学装置。
【請求項６】
前記透光窓部の輪郭は、前記第２の方向と略平行な一対の直線状の部分を有する請求項１ないし５のいずれかに記載の電気光学装置。
【請求項７】
前記点光源のピッチをＰｓ、前記透光窓部のピッチをＰａ、前記マイクロレンズアレイのマイクロレンズのピッチをＰＬ、前記点光源と前記マイクロレンズアレイとの間の光学的距離をＬｓ、前記マイクロレンズアレイと前記透光窓部との間の光学的距離をＬａとしたとき、下記式で示す条件を満たすよう構成されている請求項１ないし６のいずれかに記載の電気光学装置。
ＰＬ＝{Ｐｓ・Ｐａ／（Ｐｓ＋Ｐａ）}・ｎ（但し、ｎは自然数）
Ｌａ／Ｌｓ＝Ｐａ／Ｐｓ
【請求項８】
前記点光源のピッチをＰｓ、前記透光窓部のピッチをＰａ、前記マイクロレンズアレイのマイクロレンズのピッチをＰＬ、前記点光源と前記マイクロレンズアレイとの間の光学的距離をＬｓ、前記マイクロレンズアレイと前記透光窓部との間の光学的距離をＬａとしたとき、下記式で示す条件を満たすよう構成されている請求項１ないし６のいずれかに記載の電気光学装置。
ＰＬ＝{Ｐｓ・Ｐａ／（Ｐｓ＋Ｐａ）}・ｎ（但し、ｎは２を除く自然数）
Ｌａ／Ｌｓ＝Ｐａ／Ｐｓ
【請求項９】
前記点光源のピッチＰｓは、前記透光窓部のピッチＰａより大きい請求項７または８に記載の電気光学装置。
【請求項１０】
前記点光源のピッチＰｓと、前記透光窓部のピッチＰａとが等しい請求項７または８に記載の電気光学装置。
【請求項１１】
前記点光源のピッチは、前記マイクロレンズアレイを設けない状態において、前記各透光窓部を貫く面における前記複数の点光源からの光の光量が実質的に均一になるように設定されている請求項１ないし１０のいずれかに記載の電気光学装置。
【請求項１２】
前記マイクロレンズアレイを設けない状態において、前記各透光窓部を貫く面における前記点光源からの光の光量分布の標準偏差をσとしたとき、前記点光源のピッチは、２．３σ以下である請求項１ないし１０のいずれかに記載の電気光学装置。
【請求項１３】
前記マイクロレンズアレイを設けない状態において、前記各透光窓部を貫く面における前記複数の点光源からの光の光量の最大値をａ、最小値をｂとしたとき、前記点光源のピッチは、光量比ｂ／ａが０．９以上になるように設定されている請求項１ないし１０のいずれかに記載の電気光学装置。
【請求項１４】
前記点光源からの光が前記各透光窓部を貫く面上に結像し、前記面における前記点光源の像と前記透光窓部とが重なった部分の面積が、前記点光源の像と前記透光窓部とが相対的にずれた場合でも可及的に変化しないよう構成されている請求項１ないし１３のいずれかに記載の電気光学装置。
【請求項１５】
前記面における前記点光源の像と前記透光窓部とが重なった部分の面積が、前記点光源の像と前記透光窓部とが前記面内の第１の方向および／または前記第１の方向に対して垂直な第２の方向に相対的にずれた場合でも可及的に変化しないよう構成されている請求項１４に記載の電気光学装置。
【請求項１６】
前記透光窓部の形状は、略正方形または略長方形であり、前記面における前記点光源の像の形状は、略正方形または略長方形である請求項１ないし１５のいずれかに記載の電気光学装置。
【請求項１７】
前記透光窓部の所定の一辺と、前記面における前記点光源の像の所定の一辺とが、略平行である請求項１６に記載の電気光学装置。
【請求項１８】
前記マイクロレンズアレイは、マイクロフレネルレンズアレイである請求項１ないし１７のいずれかに記載の電気光学装置。
【請求項１９】
前記マイクロレンズアレイは、射出成形または２Ｐ法により成形されたものである請求項１ないし１８のいずれかに記載の電気光学装置。
【請求項２０】
前記光変調素子は、透過型液晶パネルまたは半透過半反射型液晶パネルである請求項１ないし１９のいずれかに記載の電気光学装置。
【請求項２１】
前記光変調素子は、半透過半反射型液晶パネルである請求項１ないし１９のいずれかに記載の電気光学装置。
【請求項２２】
直視型または投射型の表示装置である請求項１ないし２１のいずれかに記載の電気光学装置。
【請求項２３】
請求項１ないし２２のいずれかに記載の電気光学装置を備えたことを特徴とする電子機器。
【請求項２４】
前記電子機器は、パーソナルコンピュータ、携帯電話またはディジタルスチルカメラである請求項２３に記載の電子機器。
【発明の詳細な説明】
【０００１】
【発明の属する技術分野】
本発明は、電気光学装置およびそれを備えた電子機器に関するものである。
【０００２】
【従来の技術】
パーソナルコンピュ―タや携帯機器等の電子機器は、小型・薄型化が求められており、このような電子機器の表示装置（電気光学装置）の光源として、指向性の高い大がかりな光源を使用するのは非常に不利である（実際には使用しない）。
【０００３】
このため、例えば、液晶表示装置では、光源からの光を導光体によって液晶パネルの裏面に導き、反射板、散乱板、プリズムシート等を用いて液晶パネルを裏面から照明する方法を用いている。
【０００４】
しかしながら、従来の表示装置には、下記のような問題点がある。
例えば、透過型や半透過半反射型の液晶パネルと、バックライト（光源）とを有する表示装置の場合は、液晶パネルの駆動回路や反射板（反射電極）等で光の透過しない部分が形成される。光源から発せられ、前記光の透過しない部分で反射し、戻ってきた光は、何れかの部位で吸収されてしまい、使用することができない。このため、光源からの光の使用効率が低い。
【０００５】
また、プリズムシートを使用することにより、光の指向性を向上させることができるが、指向性を向上させたとしても高々±３０°程度の範囲である。このため、マイクロレンズアレイを用いても、光源からの光を液晶パネルの透光窓部に効率良く集光させることはできない。
【０００６】
特に、半透過半反射型の液晶パネルでは、反射板に設けられたピンホール状の開口（透光窓部）を透過する光で照明する場合があり、この場合には、入射した外光のうち、反射板で反射する光の比率（以下、単に「反射率」と言う）と、光源からの光のうち、開口を透過する光の比率（以下、単に「透過率」と言う）とは、それぞれ、反射板の面積とその開口の面積との比率で決まる。このため、透過率を大きくするために開口の面積を大きくすると、反射板の面積が小さくなり、反射率が小さくなってしまい、逆に、反射率を大きくするために開口の面積を小さくすると、透過率が小さくなってしまう（トレードオフの関係になってしまう）。
【０００７】
このように、従来の表示装置（電気光学装置）では、光源からの光を透光窓部に効率良く集光させることができず、光源から発せられる光の使用効率が低い。
【０００８】
【発明が解決しようとする課題】
本発明の目的は、光源から発せられる光の使用効率が高く、特に、製造過程での誤差、位置ずれ、熱膨張、経時変化等によって光源からの光の集光位置に多少のずれが生じたとしても、複数の透光窓部間の明るさのばらつきを低減、または無くすことができる電気光学装置およびこれを備えた電子機器を提供することにある。
【０００９】
【課題を解決するための手段】
このような目的は、下記（１）〜（２４）の本発明により達成される。
【００１０】
（１）  複数の点光源と、複数のマイクロレンズが配列されたマイクロレンズアレイと、複数の透光窓部を備えた光変調素子とを有する電気光学装置であって、
前記マイクロレンズアレイにより、前記複数の点光源からの光が前記透光窓部に集光するよう構成されており、
前記点光源からの光が前記各透光窓部を貫く面上に結像し、前記面における前記点光源の像の第１の方向の長さが、前記透光窓部の前記第１の方向の長さより長く、かつ、前記面における前記点光源の像の前記第１の方向に対して垂直な第２の方向の長さが、前記透光窓部の前記第２の方向の長さより短くなるよう構成されていることを特徴とする電気光学装置。
【００１１】
（２）  複数の点光源と、複数のマイクロレンズが配列されたマイクロレンズアレイと、複数の透光窓部を備えた光変調素子とを有する電気光学装置であって、
前記マイクロレンズアレイにより、前記複数の点光源からの光が前記透光窓部に集光するように、前記点光源と、前記マイクロレンズアレイのマイクロレンズと、前記透光窓部とが配置されており、
前記点光源からの光が前記各透光窓部を貫く面上に結像し、前記面における前記点光源の像の第１の方向の長さが、前記透光窓部の前記第１の方向の長さより長く、かつ、前記面における前記点光源の像の前記第１の方向に対して垂直な第２の方向の長さが、前記透光窓部の前記第２の方向の長さより短くなるよう構成されていることを特徴とする電気光学装置。
【００１２】
（３）  複数の点光源と、複数のマイクロレンズが配列されたマイクロレンズアレイと、複数の透光窓部を備えた光変調素子とを有する電気光学装置であって、
前記マイクロレンズアレイのマイクロレンズが、前記複数の点光源からの光を前記複数の透光窓部に集光させるように、前記点光源と、前記マイクロレンズアレイのマイクロレンズと、前記透光窓部とが配置されており、
前記点光源からの光が前記各透光窓部を貫く面上に結像し、前記面における前記点光源の像の第１の方向の長さが、前記透光窓部の前記第１の方向の長さより長く、かつ、前記面における前記点光源の像の前記第１の方向に対して垂直な第２の方向の長さが、前記透光窓部の前記第２の方向の長さより短くなるよう構成されていることを特徴とする電気光学装置。
【００１３】
（４）  前記点光源からの光が前記各透光窓部を貫く面上に結像し、前記面内の第１の方向において、前記透光窓部が、前記面における前記点光源の像に包含され、かつ、前記面内の前記第１の方向に対して垂直な第２の方向において、前記面における前記点光源の像が、前記透光窓部に包含されるよう構成されている上記（１）ないし（３）のいずれかに記載の電気光学装置。
【００１４】
（５）  前記面における前記点光源の像の輪郭は、前記第１の方向と略平行な一対の直線状の部分を有する上記（１）ないし（４）のいずれかに記載の電気光学装置。
【００１５】
（６）  前記透光窓部の輪郭は、前記第２の方向と略平行な一対の直線状の部分を有する上記（１）ないし（５）のいずれかに記載の電気光学装置。
【００１６】
（７）  前記点光源のピッチをＰｓ、前記透光窓部のピッチをＰａ、前記マイクロレンズアレイのマイクロレンズのピッチをＰＬ、前記点光源と前記マイクロレンズアレイとの間の光学的距離をＬｓ、前記マイクロレンズアレイと前記透光窓部との間の光学的距離をＬａとしたとき、下記式で示す条件を満たすよう構成されている上記（１）ないし（６）のいずれかに記載の電気光学装置。
ＰＬ＝{Ｐｓ・Ｐａ／（Ｐｓ＋Ｐａ）}・ｎ（但し、ｎは自然数）
Ｌａ／Ｌｓ＝Ｐａ／Ｐｓ
【００１７】
（８）  前記点光源のピッチをＰｓ、前記透光窓部のピッチをＰａ、前記マイクロレンズアレイのマイクロレンズのピッチをＰＬ、前記点光源と前記マイクロレンズアレイとの間の光学的距離をＬｓ、前記マイクロレンズアレイと前記透光窓部との間の光学的距離をＬａとしたとき、下記式で示す条件を満たすよう構成されている上記（１）ないし（６）のいずれかに記載の電気光学装置。
ＰＬ＝{Ｐｓ・Ｐａ／（Ｐｓ＋Ｐａ）}・ｎ（但し、ｎは２を除く自然数）
Ｌａ／Ｌｓ＝Ｐａ／Ｐｓ
【００１８】
（９）  前記点光源のピッチＰｓは、前記透光窓部のピッチＰａより大きい上記（７）または（８）に記載の電気光学装置。
【００１９】
（１０）  前記点光源のピッチＰｓと、前記透光窓部のピッチＰａとが等しい上記（７）または（８）に記載の電気光学装置。
【００２０】
（１１）  前記点光源のピッチは、前記マイクロレンズアレイを設けない状態において、前記各透光窓部を貫く面における前記複数の点光源からの光の光量が実質的に均一になるように設定されている上記（１）ないし（１０）のいずれかに記載の電気光学装置。
【００２１】
（１２）  前記マイクロレンズアレイを設けない状態において、前記各透光窓部を貫く面における前記点光源からの光の光量分布の標準偏差をσとしたとき、前記点光源のピッチは、２．３σ以下である上記（１）ないし（１０）のいずれかに記載の電気光学装置。
【００２２】
（１３）  前記マイクロレンズアレイを設けない状態において、前記各透光窓部を貫く面における前記複数の点光源からの光の光量の最大値をａ、最小値をｂとしたとき、前記点光源のピッチは、光量比ｂ／ａが０．９以上になるように設定されている上記（１）ないし（１０）のいずれかに記載の電気光学装置。
【００２３】
（１４）  前記点光源からの光が前記各透光窓部を貫く面上に結像し、前記面における前記点光源の像と前記透光窓部とが重なった部分の面積が、前記点光源の像と前記透光窓部とが相対的にずれた場合でも可及的に変化しないよう構成されている上記（１）ないし（１３）のいずれかに記載の電気光学装置。
【００２４】
（１５）  前記面における前記点光源の像と前記透光窓部とが重なった部分の面積が、前記点光源の像と前記透光窓部とが前記面内の第１の方向および／または前記第１の方向に対して垂直な第２の方向に相対的にずれた場合でも可及的に変化しないよう構成されている上記（１４）に記載の電気光学装置。
【００２５】
（１６）  前記透光窓部の形状は、略正方形または略長方形であり、前記面における前記点光源の像の形状は、略正方形または略長方形である上記（１）ないし（１５）のいずれかに記載の電気光学装置。
【００２６】
（１７）  前記透光窓部の所定の一辺と、前記面における前記点光源の像の所定の一辺とが、略平行である上記（１６）に記載の電気光学装置。
【００２７】
（１８）  前記マイクロレンズアレイは、マイクロフレネルレンズアレイである上記（１）ないし（１７）のいずれかに記載の電気光学装置。
【００２８】
（１９）  前記マイクロレンズアレイは、射出成形または２Ｐ法により成形されたものである上記（１）ないし（１８）のいずれかに記載の電気光学装置。
【００２９】
（２０）  前記光変調素子は、透過型液晶パネルまたは半透過半反射型液晶パネルである上記（１）ないし（１９）のいずれかに記載の電気光学装置。
【００３０】
（２１）  前記光変調素子は、半透過半反射型液晶パネルである上記（１）ないし（１９）のいずれかに記載の電気光学装置。
【００３１】
（２２）  直視型または投射型の表示装置である上記（１）ないし（２１）のいずれかに記載の電気光学装置。
【００３２】
（２３）  上記（１）ないし（２２）のいずれかに記載の電気光学装置を備えたことを特徴とする電子機器。
【００３３】
（２４）  前記電子機器は、パーソナルコンピュータ、携帯電話またはディジタルスチルカメラである上記（２３）に記載の電子機器。
【００３８】
【発明の実施の形態】
以下、本発明の電気光学装置および電子機器を、添付図面に示す好適な実施の形態に基づき詳細に説明する。
【００３９】
図１は、本発明の電気光学装置の第１実施形態の構成を模式的に示す縦断面図である。なお、図が煩雑になるのを避けるため、図１中、断面であることを示す斜線は、省略されている。また、図１では、図が煩雑になるのを避けるため、マイクロレンズ３２の中心を通過する光の主光軸のみを示す。
【００４０】
同図に示す表示装置（電気光学装置）１は、半透過半反射型表示装置であり、バックライトである光源手段２と、マイクロレンズアレイ板３と、複数の透光窓部を備えた半透過半反射型の液晶パネル（光変調素子）４とを有している。
【００４１】
光源手段２は、図１中下側に位置し、液晶パネル４は、図１中上側に位置し、マイクロレンズアレイ板３は、光源手段２と液晶パネル４との間に位置している。
【００４２】
光源手段２とマイクロレンズアレイ板３とは、接着剤層（接着剤）５で接着（接合）されている。
【００４３】
また、マイクロレンズアレイ板３と液晶パネル４とは、それらの外周部（表示の妨げにならない位置）において、図示しない接着剤で接着されている。
【００４４】
光源手段２は、光源部２１と、ハウジング（鏡箱）２２とで構成されている。ハウジング２２内の底面（図１中下側の面）には、複数の突起２３が形成されている。この突起２３の縦断面での形状は、略三角形をなしている。
【００４５】
また、ハウジング２２の図１中上側の壁部２２１には、複数の開口（ピンホール）２５が行列状に形成されている。
【００４６】
また、ハウジング２２内の表面（内面）の上記複数の開口２５を除いた領域および突起２３の表面には、すべて反射膜２４が設けられている。この反射膜２４は、例えば、アルミニウム、アルミニウム合金等で構成されている。
【００４７】
光源部２１から発せられた光は、ほぼすべて、例えば、図２、図３および図４に示すように、反射膜２４で１回または複数回反射し、各開口２５から出射する。
【００４８】
従って、この光源手段２では、開口２５により、点光源の投光部（光を発する部分）が構成される。
【００４９】
マイクロレンズアレイ板３は、透明な基板３０と、その基板３０の図１中上側に設けられたマイクロレンズアレイ３１とで構成されている。
【００５０】
マイクロレンズアレイ３１は、正のパワーを有する複数のマイクロレンズ（集光レンズ）３２を有し、これらのマイクロレンズ３２は、マトリックス状、すなわち、行列状（図１中横方向と、図１の紙面に対して垂直な方向）に配置されている。
【００５１】
このマイクロレンズ３２としては、マイクロフレネルレンズ（回折レンズ）を用いるのが好ましい。すなわち、マイクロレンズアレイ３１としては、マイクロフレネルレンズアレイを用いるのが好ましい。
【００５２】
これにより、マイクロレンズアレイ３１（マイクロレンズ３２）の厚さを薄くすることができ、小型・薄型化に有利である。
【００５３】
マイクロレンズアレイ３１（マイクロレンズ３２）の構成材料の屈折率は、高いほど好ましい。なお、一般的な光学材料の屈折率は、１．４５〜１．６５程度である。
【００５４】
マイクロレンズアレイ３１および基板３０は、それぞれ、例えば、アクリル樹脂、エポキシ樹脂等の各種樹脂や、各種ガラスで構成されている。
【００５５】
なお、マイクロレンズアレイ３１の構成材料と基板３０の構成材料とは、同一でもよく、また、異なっていてもよい。
【００５６】
また、マイクロレンズアレイ３１と基板３０とは、一体的に成形されてもよく、また、別々に成形されてもよい。
【００５７】
マイクロレンズアレイ板３の成形方法、すなわち、マイクロレンズアレイ３１や基板３０の成形方法は、特に限定されず、例えば、射出成形、２Ｐ法（フォトポリマゼーション）、ドライエッチング、ウエットエッチング等が挙げられるが、これらのうちでは、射出成形または２Ｐ法が好ましい。
【００５８】
マイクロレンズアレイ板３を射出成形または２Ｐ法により成形することにより、レンズの精度を高くすることができ、また、製造を容易に行うことができ、量産性に優れ、また、コストを低減することができる。
特に、射出成形の場合には、２Ｐ法よりもコストを低減することができる。
【００５９】
また、２Ｐ法の場合、特に、ガラス基板に２Ｐ法によりパターン形成する場合（ガラス２Ｐ法の場合）には、射出成形よりも使用温度が広範囲となり、好ましい。
【００６０】
液晶パネル４は、透明な基板４１と、基板４１の図１中下側の表面に形成され、図１中横方向に沿って並設された複数の帯状の透明電極４２と、基板４１の図１中下側に所定距離離間するように配置された透明な基板４６と、基板４６の図１中上側の表面に形成された反射膜４４および図１の紙面に対して垂直な方向に沿って並設された複数の帯状の透明電極４０と、基板４１（透明電極４２）と基板４６（透明電極４０）との間に設けられ、液晶を含有する液晶層４３とを有している。
【００６１】
透明電極４０は、反射膜４４の図１中上側に形成されている。この透明電極４０と透明電極４２とは、略直交しており、これらの各交差部（交差部の近傍の部分も含む）が、それぞれ、１画素に相当する。
【００６２】
透明電極４０と透明電極４２との間で充放電を行うことにより、液晶層４３の液晶が駆動される。
【００６３】
この透明電極４０および４２は、それぞれ、例えば、インジウムティンオキサイド（ＩＴＯ）等で構成されている。
【００６４】
反射膜４４には、複数の開口４５が行列状に形成されている。この開口４５は、透明電極４２と透明電極４０との交差部に位置し、１画素に対応している。
【００６５】
この開口４５により、液晶パネル４の透光窓部（光が透過し得る部分）が構成される。
【００６６】
反射膜４４は、例えば、アルミニウム、アルミニウム合金等で構成されている。
また、基板４１、４６は、例えば、各種ガラス等で構成されている。
【００６７】
基板４１の図１中上側には、偏光板４７が接合され、また、基板４６の図１中下側には、偏光板４８が接合されている。
【００６８】
なお、一方の基板に１画素に対応してスイッチング素子を設けることができる。スイッチング素子は、図示しない制御回路に接続され、透明電極４０または４２へ供給する電流を制御する。これにより、透明電極４０または４２の充放電が制御される。
【００６９】
液晶層４３は液晶分子（図示せず）を含有しており、前記透明電極４０または４２の充放電に対応して、かかる液晶分子、すなわち液晶の配向が変化する。
【００７０】
これにより、各画素において、それぞれ、光の透過と遮断との切り替えと、輝度の調節とを任意に行うことができる。
【００７１】
なお、スイッチング素子としては、例えば、薄膜ダイオード（ＴＦＤ）、薄膜トランジスタ（ＴＦＴ）等を用いることができる。スイッチング素子として薄膜トランジスタを用いる場合、その薄膜トランジスタが設けられる基板における透明電極は、例えば、１画素に対応してドット状に設けられ、これに対向する基板における透明電極は、基板全面に設けられる。
【００７２】
この表示装置１では、図５および図６に示すように、光源手段２の開口（点光源の投光部）２５のピッチをＰｓ、液晶パネル４の開口（透光窓部）４５のピッチをＰａ、マイクロレンズアレイ３１のマイクロレンズ３２のピッチをＰＬ、光源手段２の開口２５とマイクロレンズアレイ３１との間の光学的距離をＬｓ、マイクロレンズアレイ３１と液晶パネル４の開口４５との間の光学的距離をＬａとしたとき、下記式１および式２で示す条件を満たすように、光源手段２の開口２５と、マイクロレンズアレイ３１のマイクロレンズ３２と、液晶パネル４の開口４５とを配置する。
【００７３】
ＰＬ＝{Ｐｓ・Ｐａ／（Ｐｓ＋Ｐａ）}・ｎ（但し、ｎは自然数）  ・・・式１
Ｌａ／Ｌｓ＝Ｐａ／Ｐｓ  ・・・式２
特に、式１において、ｎは、２を除く自然数であるのが好ましい。
【００７４】
ここで、前記光学的距離は、環境を真空と仮定したときの距離、すなわち、実際の距離を、光路を構成する物質の屈折率で徐した値である。
【００７５】
なお、前記式１および式２で示す条件は、図１中横方向と、図１の紙面に対して垂直な方向とのそれぞれにおいて満たされているものとする。
【００７６】
また、マイクロレンズ３２の焦点距離をｆとしたとき、下記式３で示す条件を満たすように構成する。この式３は、光源手段２の開口２５の形状に対応する像（開口２５の像）がマイクロレンズ３２により液晶パネル４の開口４５の位置に結像するための条件式である。
１／Ｌｓ＋１／Ｌａ＝１／ｆ  ・・・式３
【００７７】
前記光源手段２の開口２５のピッチＰｓ、液晶パネル４の開口４５のピッチＰａ、マイクロレンズ３２のピッチＰＬ、光源手段２の開口２５とマイクロレンズアレイ３１との間の光学的距離Ｌｓ、マイクロレンズアレイ３１と液晶パネル４の開口４５との間の光学的距離Ｌａ、マイクロレンズ３２の焦点距離ｆは、例えば、用途等に応じて、前記式１、式２および式３で示す条件を満たすように適宜設定される。
【００７８】
例えば、携帯用電子装置の半透過半反射型表示装置の場合には、例えば、下記のように設定するのが好ましい。
【００７９】
光源手段２の開口（点光源の投光部）２５のピッチＰｓは、２０〜５００μｍ程度であるのが好ましい。
【００８０】
また、液晶パネル４の開口（透光窓部）４５のピッチＰａは、２０〜５００μｍ程度であるのが好ましい。
【００８１】
また、マイクロレンズ３２のピッチＰＬは、１０〜２５０μｍ程度であるのが好ましい。
【００８２】
また、光源手段２の開口２５とマイクロレンズアレイ３１との間の光学的距離Ｌｓは、０．１〜２ｍｍ程度であるのが好ましい。
【００８３】
また、マイクロレンズアレイ３１と液晶パネル４の開口４５との間の光学的距離Ｌａは、０．１〜２ｍｍ程度であるのが好ましい。
【００８４】
また、マイクロレンズ３２の焦点距離ｆは、０．１〜１ｍｍ程度であるのが好ましい。
【００８５】
なお、マイクロレンズ３２の平面視での形状（平面形状）および寸法等は、特に限定されず、例えば、液晶パネル４側の画素形状等に応じて適宜設定される。
【００８６】
マイクロレンズ３２の平面視での形状としては、液晶パネル４の画素形状の相似形状が好ましく、例えば、長方形、正方形等の角形や、円形等が挙げられる。
【００８７】
前記光学的距離ＬｓおよびＬａは、それぞれ、例えば、マイクロレンズアレイ板３、基板４６等の厚みを所望の値に設定することで調節することができる。
【００８８】
図５および図６は、それぞれ、前記式１、式２および式３の条件を満たし、かつ、ｎ＝１の場合における、光源手段２の開口２５と、マイクロレンズアレイ３１のマイクロレンズ３２と、液晶パネル４の開口４５との配置（位置関係）を模式的に示す図である。なお、図５および図６では、図が煩雑になるのを避けるため、マイクロレンズ３２の中心を通過する光の主光軸のみを示す。
【００８９】
ここで、マイクロレンズ３２は、光源手段２の開口２５から出射するあらゆる成分の光（あらゆる光軸の光）を液晶パネル４の開口４５に結像する光学的特性を有している。
【００９０】
図５は、光学的距離Ｌｓと光学的距離Ｌａとを等しく設定した場合、すなわち、開口２５のピッチＰｓと開口４５のピッチＰａとを等しく設定した場合を示す。
【００９１】
同図に示すように、光源手段２の所定の開口２５から出射した光は、ほぼすべて、何れかのマイクロレンズ３２の作用により、何れかの開口４５に集光する。
【００９２】
例えば、図５中最も左側の開口２５から出射した光のうち、図５中最も左側のマイクロレンズ３２に入射した光６１は、そのマイクロレンズ３２により、図５中最も左側の開口４５に集光し、図５中左から２番目のマイクロレンズ３２に入射した光６２は、そのマイクロレンズ３２により、図５中左から２番目の開口４５に集光し、以下、同様に、各光は、それぞれ、対応するマイクロレンズ３２により、対応する開口４５に集光する。
【００９３】
同様に、図５中左から２番目の開口２５から出射した光のうち、図５中左から２番目のマイクロレンズ３２に入射した光６３は、そのマイクロレンズ３２により、図５中最も左側の開口４５に集光し、図５中左から３番目のマイクロレンズ３２に入射した光６４は、そのマイクロレンズ３２により、図５中左から２番目の開口４５に集光し、以下、同様に、各光は、それぞれ、対応するマイクロレンズ３２により、対応する開口４５に集光する。
【００９４】
以下、同様に、図５中左から３〜６番目の開口２５から出射した光についても、それぞれ、対応するマイクロレンズ３２により、対応する開口４５に集光する。
【００９５】
すなわち、所定の開口４５に着目すると、複数の開口２５から出射した光は、マイクロレンズアレイ３１により、その開口４５に集光する。
【００９６】
また、所定のマイクロレンズ３２に着目すると、そのマイクロレンズ３２は、複数の開口２５から出射した光を複数の開口４５に集光させる。
【００９７】
このように、この表示装置１では、光源手段２（各開口２５）から発せられる光を効率良く開口４５に集光させることができ、これにより、光源手段２から発せられる光の使用効率を向上させることができる。
【００９８】
また、１つの開口４５には、複数（多く）の開口２５からの光が集光するので、明るさが平均化される利点がある。すなわち、各開口２５からの光の光量、各開口２５の位置等にばらつきがあったとしても、開口４５に集まる光は、複数の開口２５からの光の平均値となるので、画素間の光量差は、ほとんどなくなる。これにより、均一性の高い表示を行うことができる。
【００９９】
また、この表示装置１では、製造（組み付け）の際の位置調整において、調整工程を１回設ければよい。
【０１００】
特に、隣接点への出射角θ１、θ２が比較的小さいので、前記平均化の効果が大きく、光源手段２（各開口２５）とマイクロレンズアレイ３１との位置関係を厳密に調整する必要がない。すなわち、位置調整の際は、適当な位置関係にある光源手段２（各開口２５）と、マイクロレンズアレイ３１とで決まる焦点位置に、開口４５を位置決めする。このような調整工程が１つあればよい。
【０１０１】
これにより、位置調整を容易、迅速かつ確実に行うことができ、生産性が良く、量産に有利である。
【０１０２】
また、ＬｓとＬａとを等しく設定することにより、マイクロレンズ３２の焦点距離ｆを最も長く（開口数ＮＡを最も小さく）設定することができる。これにより、マイクロレンズアレイ３１の製造が容易となり、また、精度の向上、収差の減少を図ることができる。
【０１０３】
また、ｎ＝１とすることにより、ｎ＞１の場合に比べ、マイクロレンズ３２のピッチＰＬを小さく設定することができ、これにより、レンズの開口数ＮＡを小さく設定することができ、好ましい。
【０１０４】
図６は、光学的距離Ｌｓを光学的距離Ｌａよりも大きく設定した場合、すなわち、開口２５のピッチＰｓを開口４５のピッチＰａよりも大きく設定した場合を示す。
【０１０５】
この場合も、前記光学的距離Ｌｓと光学的距離Ｌａとを等しく設定した場合と同様に、光源手段２の所定の開口２５から出射した光は、ほぼすべて、何れかのマイクロレンズ３２の作用により、何れかの開口４５に集光する。
【０１０６】
このように光学的距離Ｌｓを光学的距離Ｌａよりも大きく設定する場合には、光源手段２の開口（点光源の投光部）２５のピッチＰｓを比較的大きく設定することができるので（開口２５の数を比較的少なくすることができるので）、製造が容易になる。
【０１０７】
また、この表示装置１では、平面視において（図１中上側から見たとき）、光源手段２の開口（点光源の投光部）２５の形状と、液晶パネル４の開口（透光窓部）４５の形状とが、相似形状となっているのが好ましい。
【０１０８】
そして、開口２５の面積（大きさ）Ｓ２５と開口４５の面積（大きさ）Ｓ４５との比（Ｓ２５／Ｓ４５）が、開口２５のピッチＰｓと開口４５のピッチＰａとの比（Ｐｓ／Ｐａ）と等しく、すなわち、光学的距離Ｌｓと光学的距離Ｌａとの比（Ｌｓ／Ｌａ）と等しく設定されているのが好ましい。
【０１０９】
これにより、光源手段２（各開口２５）から発せられる光をより効率良く開口４５に集光させることができ、光源手段２から発せられる光の使用効率をさらに向上させることができる。
【０１１０】
開口２５の面積Ｓ２５は、例えば、半透過半反射型表示装置の場合には、１画素の面積の３〜５０％程度であるのが好ましい。
【０１１１】
次に、表示装置１の作用を説明する。
図１に示すように、表示装置１の光源部２１から発せられた光は、各開口２５から出射し、接着剤層５および基板３０を透過した後、マイクロレンズアレイ３１の各マイクロレンズ３２に入射し、前述したように、マイクロレンズ３２の作用により、開口４５に集光するようにマイクロレンズ３２から出射する。
【０１１２】
マイクロレンズ３２から出射した光は、偏光板４８で偏光され、基板４６を透過した後、開口４５に集光し、その開口４５を透過（通過）する。
なお、本発明では、表示装置１に、図示しない位相差板を設けてもよい。
【０１１３】
開口４５を透過した光は、透明電極４２と透明電極４０との間に印加されている電圧により配向が制御された液晶層４３の液晶により強度変調される。そしてその光は、基板４１を透過し、偏光板４７で偏光され、外部に出射する。
【０１１４】
このようにして、表示装置１の画面に、所定の画像（電子画像）が表示される。
【０１１５】
また、この表示装置１の液晶パネル４は、半透過半反射型であるので、外部が比較的明るい場合には、外部からの光を反射膜４４で反射させて表示を行うことができる。
【０１１６】
また、外部が比較的暗い場合には、前述したように、光源手段２を駆動させ、その光源手段２からの光を反射膜４４の開口４５を透過させて表示を行うことができる。
【０１１７】
以上述べたように、この表示装置１によれば、光源手段２（各開口２５）から発せられる光を効率良く開口４５に集光させることができ、これにより、光源手段２から発せられる光の使用効率を向上させることができる。
【０１１８】
すなわち、反射膜４４の面積を大きくし、その反射膜４４に設けられた開口４５の面積を小さくしても、光源手段２からの光を効率良く開口４５に集光させることができるので、開口４５を透過する光の光量を大きくすることができ、これにより、外光の反射率、光源手段２からの光の透過率がともに高い半透過半反射型の液晶表示装置（直視型液晶表示装置）を実現することができる。
【０１１９】
また、この表示装置１では、高価なプリズムシートを用いる必要がないので、部品点数を削減することができ、また、コストを低減することができる。
【０１２０】
なお、本発明では、点光源は、前述した構成に限らず、例えば、発光ダイオード（ＬＥＤ）、レーザダイオード、有機ＥＬ（Electro Luminescence）素子、無機ＥＬ素子等であってもよい。
【０１２１】
点光源としてレーザダイオードを用い、光変調素子として液晶パネルを用いる場合には、偏光板を省略することができる。これにより、点光源からの光の使用効率をさらに向上させることができ、また、部品点数を削減することができる。
【０１２２】
次に、本発明の電気光学装置の第２実施形態について説明する。
図７は、本発明の電気光学装置の第２実施形態の構成を模式的に示す縦断面図である。なお、図が煩雑になるのを避けるため、図７中、断面であることを示す斜線は、省略されている。また、図７では、図が煩雑になるのを避けるため、マイクロレンズ３２の中心を通過する光の主光軸のみを示す。
【０１２３】
以下、第２実施形態の表示装置（電気光学装置）１について、前述した第１実施形態との相違点を中心に説明し、同様の事項については、その説明を省略する。
【０１２４】
同図に示す表示装置１は、透過型表示装置であって、前述した第１実施形態の表示装置１の半透過半反射型の液晶パネル４を、透過型の液晶パネル４ａに代えたものであり、この他の構成は、第１実施形態と同様である。
【０１２５】
液晶パネル４ａは、前述した第１実施形態における液晶パネル４の反射膜４４の代わりに、行列状に配列された複数の開口（透光窓部）４９１が設けられたブラックマトリックス４９を有している。
【０１２６】
透明電極４０は、図７中横方向に沿って並設され、また、透明電極４２は、図７の紙面に対して垂直な方向に沿って並設されている。
【０１２７】
また、ブラックマトリックス４９は、画素間、すなわち、隣り合う透明電極４０の間および隣り合う透明電極４２の間をそれぞれ遮光するように設けられている。
【０１２８】
この第２実施形態の表示装置１によれば、前述した第１実施形態と同様の効果が得られる。
【０１２９】
すなわち、この表示装置１では、光源手段２の光の使用効率が極めて高い、透過型の液晶表示装置（直視型液晶表示装置）を実現することができる。
【０１３０】
次に、本発明の電気光学装置の第３実施形態について説明する。
図８は、本発明の電気光学装置の第３実施形態の構成を模式的に示す縦断面図である。なお、図が煩雑になるのを避けるため、図８中、断面であることを示す斜線は、省略されている。また、図８では、図が煩雑になるのを避けるため、マイクロレンズ３２の中心を通過する光の主光軸のみを示す。
【０１３１】
以下、第３実施形態の表示装置（電気光学装置）１について、前述した第１実施形態との相違点を中心に説明し、同様の事項については、その説明を省略する。
【０１３２】
同図に示す表示装置１は、半透過半反射型の液晶パネル（光変調素子）４を備えた半透過半反射型表示装置であるが、例えば、前述した第２実施形態のような透過型の液晶パネル（光変調素子）４ａを備えた透過型表示装置であってもよい。
【０１３３】
前述した第１実施形態や第２実施形態のように、開口（点光源の投光部）２５から出射した光をマイクロレンズアレイ３１で集光する場合にも、マイクロレンズアレイ３１（マイクロレンズアレイ板３）を設けない状態における、図８に示す各開口４５を貫く平面（面）７１における開口２５からの光の光量分布が反映される。
【０１３４】
この第３実施形態の表示装置１の開口（点光源の投光部）２５のピッチＰｓは、マイクロレンズアレイ３１（マイクロレンズアレイ板３）を設けない状態において、各開口４５を貫く平面（面）７１における複数の開口２５からの光の光量が実質的に均一になるように設定されている。
【０１３５】
これにより、開口４５間（画素間）の光量差を低減、または無くすことができ、表示ムラを低減、または無くすことができる。すなわち、均質な表示を行うことができる。
【０１３６】
具体的には、開口２５のピッチＰｓは、下記のように設定されるのが好ましい。
【０１３７】
マイクロレンズアレイ３１（マイクロレンズアレイ板３）を設けない状態において、平面７１における開口２５からの光の光量分布の標準偏差をσとしたとき、開口２５のピッチＰｓは、２．３σ以下であるのが好ましく、１．８σ以下であるのがより好ましく、０．３σ〜１．５σ程度であるのがさらに好ましい。なお、前記光量分布の標準偏差σは、長さの次元を持つ。
【０１３８】
換言すれば、マイクロレンズアレイ３１（マイクロレンズアレイ板３）を設けない状態において、平面７１における複数の開口２５からの光の光量の最大値をａ、最小値をｂとしたとき（図９参照）、開口２５のピッチＰｓは、前記光量の最大値ａと最小値ｂとの比（以下、「光量比」と言う））ｂ／ａが０．９以上になるように設定されるのが好ましく、０．９９以上になるように設定されるのがより好ましく、０．９９５以上になるように設定されるのがさらに好ましい。なお、前記最大値ａおよび最小値ｂは、それぞれ、端部（外側の部分）を除いた部分における値である。
【０１３９】
これにより、開口４５間（画素間）の光量差をさらに低減、または無くすことができ、より均一性の高い表示を行うことができる。
【０１４０】
本発明者は、この表示装置１について、所定のシミュレーションを行った。以下、そのシミュレーションについて説明する。
【０１４１】
表示装置１の光源手段２の１つの開口２５から出射した光、すなわち、１つの点光源から出射した光の、主光軸に対して垂直な平面における光量分布は、ガウス分布（正規分布）またはそれに近似した分布をなしている。
【０１４２】
したがって、１つの点光源から出射した光の、主光軸に対して垂直な平面における光量分布として標準偏差σが「１」のガウス分布を用い、このシミュレーションを行った。
【０１４３】
まず、同様の複数の点光源を等ピッチ（ピッチＰｓ）で１列に並べた場合を想定し、前記標準偏差σが「１」の複数のガウス分布（光量分布）を等ピッチ（ピッチＰｓ）で１列に並べ、その光量分布を重ね合わせた。
【０１４４】
図９は、点光源のピッチＰｓを２．５（２．５σ）とした場合の、各点光源からの光の光量分布と、各点光源からの光を重ね合わせたときの光量分布とを示すグラフ、図１０は、点光源のピッチＰｓを１．７（１．７σ）とした場合の、各点光源からの光の光量分布と、各点光源からの光を重ね合わせたときの光量分布とを示すグラフである。
【０１４５】
なお、各グラフの縦軸は、光量を示し、横軸は、位置（所定の基準点からの距離）を示す。また、各グラフにおいて、各点光源からの光の光量が最大（極大）となる位置は、それぞれ、その点光源の位置に相当する。
【０１４６】
次に、点光源のピッチＰｓを変え、各ピッチＰｓにおける光量比ｂ／ａを求めた。
【０１４７】
この結果を図１１に示す。すなわち、図１１は、点光源のピッチＰｓと、光量比ｂ／ａとの関係を示すグラフである。なお、このグラフの縦軸は、光量比ｂ／ａを示し、横軸は、点光源のピッチＰｓを示す。
【０１４８】
光量比ｂ／ａが０．９９以上となるのは、点光源のピッチＰｓが１．８σ以下のときである。
【０１４９】
図９および図１１に示すように、点光源のピッチＰｓを２．５σとした場合は、各点光源からの光を重ね合わせたときの光量に、若干ムラが生じる。すなわち、光量比ｂ／ａは、約０．８４となる。
【０１５０】
一方、図１０および図１１に示すように、点光源のピッチＰｓを１．７σとした場合は、各点光源からの光を重ね合わせたときの光量は、均一になる。すなわち、光量比ｂ／ａは、約１となる。この場合には、極めて均質な表示を行うことができる。
【０１５１】
以上説明したように、この第３実施形態の表示装置１によれば、開口２５のピッチＰｓを前述のように設定するので、開口４５間（画素間）の明るさのばらつきを低減、または無くすことができ、これにより、表示ムラを低減、または無くすことができる。すなわち、均質な表示を行うことができる。
【０１５２】
また、この表示装置１によれば、前述した第１実施形態と同様の効果も得られる。
【０１５３】
次に、本発明の電気光学装置の第４実施形態について説明する。
この第４実施形態は、光源手段２の開口（点光源の投光部）２５からの光が液晶パネル（光変調素子）４の各開口（透光窓部）４５を貫く平面（面）７１上に結像し（図８参照）、平面７１におけるその開口２５の像（平面７１上の光の照射領域）と開口４５とが重なった部分の面積が、開口２５の像と開口４５とが平面７１内の所定方向（平面７１内の第１の方向および第１の方向に対して垂直な第２の方向）に相対的にずれた場合でも可及的に変化しないよう構成されている。以下、具体的に説明する。
【０１５４】
図１２および図１３は、それぞれ、本発明の電気光学装置の第４実施形態であって、その液晶パネル（光変調素子）の開口（透光窓部）と、液晶パネルの各開口を貫く平面（面）における光源手段の開口（点光源の投光部）の像とを模式的に示す平面図である。
【０１５５】
なお、図１２および図１３中、光源手段の開口（点光源の投光部）の像の部分を斜線で示す。また、図１２および図１３中、横方向を平面７１内の第１の方向、縦方向を平面７１内の第２の方向（第１の方向に対して垂直な方向）として説明する。
【０１５６】
以下、第４実施形態の表示装置（電気光学装置）１について、前述した第１実施形態との相違点を中心に説明し、同様の事項については、その説明を省略する。
【０１５７】
なお、この第４実施形態の表示装置１は、例えば、前述した第１実施形態のような半透過半反射型の液晶パネル（光変調素子）４を備えた半透過半反射型表示装置であってもよく、また、例えば、前述した第２実施形態のような透過型の液晶パネル（光変調素子）４ａを備えた透過型表示装置であってもよい。
【０１５８】
図１２に示すように、この第４実施形態の表示装置１は、光源手段２の開口（点光源の投光部）２５からの光が液晶パネル（光変調素子）４の各開口（透光窓部）４５を貫く平面（面）７１上に結像し（図８参照）、平面７１におけるその開口２５の像（照射領域）２６が、開口４５に包含されるよう構成されている。すなわち、開口２５の像２６が開口４５に包含されるように、開口２５および４５の形状、寸法、配置等の諸条件がそれぞれ設定されている。
【０１５９】
本実施形態では、開口４５の形状は、長方形であり、その短辺４５１および４５３は、第１の方向と略平行であり、長辺４５２および４５４は、第１の方向に対して垂直な第２の方向と略平行である。
【０１６０】
また、本実施形態では、開口２５の形状、すなわち、開口２５の像２６の形状は、長方形であり、その短辺２６１および２６３は、第１の方向と略平行であり、長辺２６２および２６４は、第２の方向と略平行である。
【０１６１】
従って、開口４５の短辺（一辺）４５１と、開口２５の像２６の短辺（一辺）２６１とは、略平行である。
【０１６２】
図１２は、開口２５の像２６の中心と開口４５の中心とが一致している状態（像２６が開口４５に対して理想的な位置に位置している状態）を示し、図１３は、開口２５の像２６の中心と開口４５の中心とがずれた状態を示す。
【０１６３】
この表示装置１では、図１３に示すように、開口２５からの光の集光位置にずれが生じ、開口２５の像２６の中心と開口４５の中心とがずれたとしても、像２６が開口４５からはみ出すのが阻止（防止）、または抑制される。
【０１６４】
これにより、開口４５間（画素間）の明るさのばらつきを低減、または無くすことができ、均質な表示を行うことができる。
【０１６５】
また、図１２に示すように、平面７１における開口２５の像２６の第１の方向の長さ（短辺２６１の長さ）Ｌ３と開口４５の第１の方向の長さ（短辺４５１の長さ）Ｌ１との差と、平面７１における開口２５の像２６の第１の方向に対して垂直な第２の方向の長さ（長辺２６２の長さ）Ｌ４と開口４５の第２の方向の長さ（長辺４５２の長さ）Ｌ２との差とが実質的に等しい。
【０１６６】
このように長さＬ３とＬ１との差と、長さＬ４とＬ２との差とを略等しくすることにより、開口２５の像２６の中心と開口４５の中心とが一致している図１２に示す状態から、像２６と開口４５とが第１の方向にずれたときに、像２６が開口４５から第１の方向にはみ出すまでの第１の方向へのずれ量と、像２６と開口４５とが第２の方向にずれたときに、像２６が開口４５から第２の方向にはみ出すまでの第２の方向へのずれ量とが略均等になる。このため、像２６が開口４５からはみ出し難くなり、開口４５間（画素間）の明るさのばらつきをさらに低減、または無くすことができ、これにより、より均質な表示を行うことができる。
【０１６７】
以上説明したように、この第４実施形態の表示装置１によれば、平面７１上において、開口２５の像２６が開口４５に包含されており、開口２５の像２６と開口４５とが重なった部分の面積が、開口２５の像２６と開口４５とが第１の方向や第２の方向にずれた場合でも変化しないので、例えば、製造過程での誤差、位置ずれ、熱膨張、経時変化等によって開口２５からの光の集光位置に多少のずれが生じたとしても、開口４５間（画素間）の明るさのばらつきを低減、または無くすことができ、これにより、表示ムラを低減、または無くすことができる。すなわち、均質な表示を行うことができる。
【０１６８】
また、開口２５の像２６が開口４５に包含されているので、光源手段２から発せられる光の使用効率は、極めて高く、光の使用効率を優先する場合に有利である。
【０１６９】
また、この表示装置１によれば、前述した第１実施形態と同様の効果も得られる。
【０１７０】
ここで、前記第４実施形態の表示装置１においても、前述した第３実施形態と同様に、開口（点光源の投光部）２５のピッチＰｓは、マイクロレンズアレイ３１（マイクロレンズアレイ板３）を設けない状態において、各開口４５を貫く平面７１における複数の開口２５からの光の光量が実質的に均一になるように設定されるのが好ましい。なお、この場合の構成や効果は、前述した第３実施形態と同様であるので、その説明は省略する。
【０１７１】
なお、本発明では、開口４５の形状および開口２５の形状（開口２５の像２６の形状）は、それぞれ、長方形に限らず、例えば、正方形、円、楕円等、他の形状でもよい。
【０１７２】
また、本発明では、開口４５の形状と、開口２５の形状（開口２５の像２６の形状）とは、相似形状（同一）であってもよく、また、異なっていてもよい。
【０１７３】
次に、本発明の電気光学装置の第５実施形態について説明する。
この第５実施形態は、光源手段２の開口（点光源の投光部）２５からの光が液晶パネル（光変調素子）４の各開口（透光窓部）４５を貫く平面（面）７１上に結像し（図８参照）、平面７１におけるその開口２５の像（平面７１上の光の照射領域）と開口４５とが重なった部分の面積が、開口２５の像と開口４５とが平面７１内の所定方向（平面７１内の第１の方向および第１の方向に対して垂直な第２の方向）に相対的にずれた場合でも可及的に変化しないよう構成されている。以下、具体的に説明する。
【０１７４】
図１４および図１５は、それぞれ、本発明の電気光学装置の第５実施形態であって、その液晶パネル（光変調素子）の開口（透光窓部）と、液晶パネルの各開口を貫く平面（面）における光源手段の開口（点光源の投光部）の像とを模式的に示す平面図である。
【０１７５】
なお、図１４および図１５中、光源手段の開口（点光源の投光部）の像の部分を斜線で示す。また、図１４および図１５中、横方向を平面７１内の第１の方向、縦方向を平面７１内の第２の方向（第１の方向に対して垂直な方向）として説明する。
【０１７６】
以下、第５実施形態の表示装置（電気光学装置）１について、前述した第１実施形態との相違点を中心に説明し、同様の事項については、その説明を省略する。
【０１７７】
なお、この第５実施形態の表示装置１は、例えば、前述した第１実施形態のような半透過半反射型の液晶パネル（光変調素子）４を備えた半透過半反射型表示装置であってもよく、また、例えば、前述した第２実施形態のような透過型の液晶パネル（光変調素子）４ａを備えた透過型表示装置であってもよい。
【０１７８】
図１４に示すように、この第５実施形態の表示装置１は、光源手段２の開口（点光源の投光部）２５からの光が液晶パネル（光変調素子）４の各開口（透光窓部）４５を貫く平面（面）７１上に結像し（図８参照）、開口４５が平面７１における開口２５の像（照射領域）２６に包含されるよう構成されている。すなわち、開口４５が開口２５の像２６に包含されるように、開口２５および４５の形状、寸法、配置等の諸条件がそれぞれ設定されている。
【０１７９】
本実施形態では、開口４５の形状は、長方形であり、その短辺４５１および４５３は、第１の方向と略平行であり、長辺４５２および４５４は、第１の方向に対して垂直な第２の方向と略平行である。
【０１８０】
また、本実施形態では、開口２５の形状、すなわち、開口２５の像２６の形状は、長方形であり、その短辺２６１および２６３は、第１の方向と略平行であり、長辺２６２および２６４は、第２の方向と略平行である。
【０１８１】
従って、開口４５の短辺（一辺）４５１と、開口２５の像２６の短辺（一辺）２６１とは、略平行である。
【０１８２】
図１４は、開口２５の像２６の中心と開口４５の中心とが一致している状態（像２６が開口４５に対して理想的な位置に位置している状態）を示し、図１５は、開口２５の像２６の中心と開口４５の中心とがずれた状態を示す。
【０１８３】
この表示装置１では、図１５に示すように、開口２５からの光の集光位置にずれが生じ、開口２５の像２６の中心と開口４５の中心とがずれたとしても、開口４５が像２６からはみ出すのが阻止（防止）、または抑制される。
【０１８４】
これにより、開口４５間（画素間）の明るさのばらつきを低減、または無くすことができ、均質な表示を行うことができる。
【０１８５】
また、図１４に示すように、平面７１における開口２５の像２６の第１の方向の長さ（短辺２６１の長さ）Ｌ３と開口４５の第１の方向の長さ（短辺４５１の長さ）Ｌ１との差と、平面７１における開口２５の像２６の第１の方向に対して垂直な第２の方向の長さ（長辺２６２の長さ）Ｌ４と開口４５の第２の方向の長さ（長辺４５２の長さ）Ｌ２との差とが実質的に等しい。
【０１８６】
このように長さＬ３とＬ１との差と、長さＬ４とＬ２との差とを略等しくすることにより、開口２５の像２６の中心と開口４５の中心とが一致している図１４に示す状態から、像２６と開口４５とが第１の方向にずれたときに、開口４５が像２６から第１の方向にはみ出すまでの第１の方向へのずれ量と、像２６と開口４５とが第２の方向にずれたときに、開口４５が像２６から第２の方向にはみ出すまでの第２の方向へのずれ量とが略均等になる。このため、開口４５が像２６からはみ出し難くなり、開口４５間（画素間）の明るさのばらつきをさらに低減、または無くすことができ、これにより、より均質な表示を行うことができる。
【０１８７】
以上説明したように、この第４実施形態の表示装置１によれば、平面７１上において、開口４５が開口２５の像２６に包含されており、開口２５の像２６と開口４５とが重なった部分の面積が、開口２５の像２６と開口４５とが第１の方向や第２の方向にずれた場合でも変化しないので、例えば、製造過程での誤差、位置ずれ、熱膨張、経時変化等によって開口２５からの光の集光位置に多少のずれが生じたとしても、開口４５間（画素間）の明るさのばらつきを低減、または無くすことができ、これにより、表示ムラを低減、または無くすことができる。すなわち、均質な表示を行うことができる。
【０１８８】
また、開口４５が開口２５の像２６に包含されているので、開口４５に集光すする光の光量を大きくすることができ、このため、輝度を優先する場合に有利である。
【０１８９】
また、この表示装置１によれば、前述した第１実施形態と同様の効果も得られる。
【０１９０】
ここで、前記第５実施形態の表示装置１においても、前述した第３実施形態と同様に、開口（点光源の投光部）２５のピッチＰｓは、マイクロレンズアレイ３１（マイクロレンズアレイ板３）を設けない状態において、各開口４５を貫く平面７１における複数の開口２５からの光の光量が実質的に均一になるように設定されるのが好ましい。なお、この場合の構成や効果は、前述した第３実施形態と同様であるので、その説明は省略する。
【０１９１】
なお、本発明では、開口４５の形状および開口２５の形状（開口２５の像２６の形状）は、それぞれ、長方形に限らず、例えば、正方形、円、楕円等、他の形状でもよい。
【０１９２】
また、本発明では、開口４５の形状と、開口２５の形状（開口２５の像２６の形状）とは、相似形状（同一）であってもよく、また、異なっていてもよい。
【０１９３】
次に、本発明の電気光学装置の第６実施形態について説明する。
この第６実施形態は、光源手段２の開口（点光源の投光部）２５からの光が液晶パネル（光変調素子）４の各開口（透光窓部）４５を貫く平面（面）７１上に結像し（図８参照）、平面７１におけるその開口２５の像（平面７１上の光の照射領域）と開口４５とが重なった部分の面積が、開口２５の像と開口４５とが平面７１内の所定方向（平面７１内の第１の方向および第１の方向に対して垂直な第２の方向）に相対的にずれた場合でも可及的に変化しないよう構成されている。以下、具体的に説明する。
【０１９４】
図１６および図１７は、それぞれ、本発明の電気光学装置の第６実施形態であって、その液晶パネル（光変調素子）の開口（透光窓部）と、液晶パネルの各開口を貫く平面（面）における光源手段の開口（点光源の投光部）の像とを模式的に示す平面図である。
【０１９５】
なお、図１６および図１７中、光源手段の開口（点光源の投光部）の像の部分を斜線で示す。また、図１６および図１７中、横方向を平面７１内の第１の方向、縦方向を平面７１内の第２の方向（第１の方向に対して垂直な方向）として説明する。
【０１９６】
以下、第６実施形態の表示装置（電気光学装置）１について、前述した第１実施形態との相違点を中心に説明し、同様の事項については、その説明を省略する。
【０１９７】
なお、この第６実施形態の表示装置１は、例えば、前述した第１実施形態のような半透過半反射型の液晶パネル（光変調素子）４を備えた半透過半反射型表示装置であってもよく、また、例えば、前述した第２実施形態のような透過型の液晶パネル（光変調素子）４ａを備えた透過型表示装置であってもよい。
【０１９８】
図１６に示すように、この第６実施形態の表示装置１は、光源手段２の開口（点光源の投光部）２５からの光が液晶パネル（光変調素子）４の各開口（透光窓部）４５を貫く平面（面）７１上に結像し（図８参照）、第１の方向において、開口４５が開口２５の像（照射領域）２６に包含され、かつ、第１の方向に対して垂直な第２の方向において、開口２５の像２６が開口４５に包含されるよう構成されている。すなわち、第１の方向において、開口４５が開口２５の像２６に包含され、かつ、第２の方向において、開口２５の像２６が開口４５に包含されるように、開口２５および４５の形状、寸法、配置等の諸条件がそれぞれ設定されている。
【０１９９】
本実施形態では、開口４５の形状は、長方形であり、その短辺４５１および４５３は、第１の方向と略平行であり、長辺４５２および４５４は、第１の方向に対して垂直な第２の方向と略平行である。すなわち、開口４５の輪郭は、第２の方向と略平行な一対の直線状の部分（長辺４５２および４５４）を有する。
【０２００】
また、本実施形態では、開口２５の形状、すなわち、開口２５の像２６の形状は、長方形であり、その短辺２６１および２６３は、第２の方向と略平行であり、長辺２６２および２６４は、第１の方向と略平行である。すなわち、開口２５の像２６の輪郭は、第１の方向と略平行な一対の直線状の部分（長辺２６２および２６４）を有する。
【０２０１】
従って、開口４５の短辺（一辺）４５１と、開口２５の像２６の長辺（一辺）２６２とは、略平行である。
【０２０２】
また、開口２５の像２６の第１の方向の長さ（長辺２６２の長さ）Ｌ５は、開口４５の第１の方向の長さ（短辺４５１の長さ）Ｌ１より長く、かつ、開口２５の像２６の第１の方向に対して垂直な第２の方向の長さ（短辺２６１の長さ）Ｌ６は、開口４５の第２の方向の長さ（長辺４５２の長さ）Ｌ２より短い。
【０２０３】
図１６は、開口２５の像２６の中心と開口４５の中心とが一致している状態（像２６が開口４５に対して理想的な位置に位置している状態）を示し、図１７は、開口２５の像２６の中心と開口４５の中心とがずれた状態を示す。
【０２０４】
この表示装置１では、図１７に示すように、開口２５からの光の集光位置にずれが生じ、開口２５の像２６の中心と開口４５の中心とがずれたとしても、第１の方向において、開口４５が像２６からはみ出すのが阻止（防止）または抑制され、かつ、第２の方向において、像２６が開口４５からはみ出すのが阻止（防止）または抑制される。
【０２０５】
しかも、開口２５の像２６の輪郭は、第１の方向と略平行な一対の直線状の部分（長辺２６２および２６４）を有しているので、像２６と開口４５とが第１の方向にずれたときに、像２６と開口４５とが重なった部分の面積は変化しない。
【０２０６】
同様に、開口４５の輪郭は、第２の方向と略平行な一対の直線状の部分（長辺４５２および４５４）を有しているので、像２６と開口４５とが第２の方向にずれたときに、像２６と開口４５とが重なった部分の面積は変化しない。
【０２０７】
これにより、開口４５間（画素間）の明るさのばらつきを低減、または無くすことができ、均質な表示を行うことができる。
【０２０８】
以上説明したように、この第６実施形態の表示装置１によれば、第１の方向において、開口４５が開口２５の像２６に包含され、かつ、第２の方向において、開口２５の像２６が開口４５に包含されており、開口２５の像２６と開口４５とが重なった部分の面積が、開口２５の像２６と開口４５とが第１の方向や第２の方向にずれた場合でも変化しないので、例えば、製造過程での誤差、位置ずれ、熱膨張、経時変化等によって開口２５からの光の集光位置に多少のずれが生じたとしても、開口４５間（画素間）の明るさのばらつきを低減、または無くすことができ、これにより、表示ムラを低減、または無くすことができる。すなわち、均質な表示を行うことができる。
【０２０９】
また、この表示装置１によれば、前述した第１実施形態と同様の効果も得られる。
【０２１０】
ここで、前記第６実施形態の表示装置１においても、前述した第３実施形態と同様に、開口（点光源の投光部）２５のピッチＰｓは、マイクロレンズアレイ３１（マイクロレンズアレイ板３）を設けない状態において、各開口４５を貫く平面７１における複数の開口２５からの光の光量が実質的に均一になるように設定されるのが好ましい。なお、この場合の構成や効果は、前述した第３実施形態と同様であるので、その説明は省略する。
【０２１１】
なお、本発明では、開口４５の形状および開口２５の形状（開口２５の像２６の形状）は、それぞれ、長方形に限らず、例えば、正方形等、他の形状でもよい。但し、前記長方形、正方形等の四角形が好ましく、特に、長方形または正方形が好ましい。
【０２１２】
また、本発明では、開口４５の形状と、開口２５の形状（開口２５の像２６の形状）とは、相似形状（同一）であってもよく、また、異なっていてもよい。
【０２１３】
以上、本発明の電気光学装置を、図示の各実施形態に基づいて説明したが、本発明はこれらに限定されるものではなく、各部の構成は、同様の機能を有する任意の構成のものに置換することができる。
【０２１４】
例えば、本発明では、前記各実施形態の任意の２以上の構成を適宜組み合わせてもよい。
【０２１５】
また、前記実施形態では、光変調素子として、透過型の液晶パネルまたは半透過半反射型の液晶パネルを用いているが、本発明では、光変調素子は、液晶パネルには限定されない。
【０２１６】
また、本発明の電気光学装置は、複数色を表示し得る電気光学装置、例えば、フルカラーの電気光学装置であってもよく、また、モノクロの電気光学装置であってもよい。
【０２１７】
本発明は、各種電子機器に適用することができる。例えば、ラップトップ型パーソナルコンピュータ、ノート型パーソナルコンピュータ等のパーソナルコンピュータのモニタ（ディスプレイ）、テレビジョンのモニタ、テレビ電話のモニタ、携帯電話（ＰＨＳを含む）、電子手帳、電子辞書、電子カメラ（ディジタルスチルカメラ）、ビデオカメラ等の携帯用電子装置のモニタ等の各種電子装置の直視型表示装置や、プロジェクター等の投射型表示装置等に適用することができる。
【０２１８】
以下、上述したような表示装置（電気光学装置）１を備える本発明の電子機器について、図１８〜図２０に示す実施形態に基づき、詳細に説明する。
【０２１９】
図１８は、前述の表示装置を適用したモバイル型（またはノート型）のパーソナルコンピュータの構成を示す斜視図である。この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
【０２２０】
このパーソナルコンピュータ１１００においては、表示ユニット１１０６が前述の表示装置（電気光学装置）１を備えている。
【０２２１】
図１９は、前述の表示装置をその表示部に適用した携帯電話機（ＰＨＳも含む）の構成を示す斜視図である。この図において、携帯電話機１２００は、複数の操作ボタン１２０２、受話口１２０４、送話口１２０６とともに、前述の表示装置（電気光学装置）１を備えている。
【０２２２】
図２０は、前述の表示装置をそのファインダに適用したディジタルスチルカメラの構成を示す斜視図である。なお、この図には、外部機器との接続についても簡易的に示されている。
【０２２３】
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
【０２２４】
ディジタルスチルカメラ１３００におけるケース（ボディー）１３０２の背面には、前述の表示装置（電気光学装置）１が設けられ、ＣＣＤによる撮像信号に基づいて表示を行う構成になっており表示装置１は、被写体を電子画像として表示するファインダとして機能する。
【０２２５】
ケース１３０２の内部には、回路基板１３０８が設置されている。この回路基板１３０８は、撮像信号を格納（記憶）し得るメモリが設置されている。
【０２２６】
また、ケース１３０２の正面側（図２０においては裏面側）には、光学レンズ（撮像光学系）やＣＣＤなどを含む受光ユニット１３０４が設けられている。
【０２２７】
撮影者が表示装置１に表示された被写体像を確認し、シャッタボタン１３０６を押下すると、その時点におけるＣＣＤの撮像信号が、回路基板１３０８のメモリに転送・格納される。
【０２２８】
また、このディジタルスチルカメラ１３００においては、ケース１３０２の側面に、ビデオ信号出力端子１３１２と、データ通信用の入出力端子１３１４とが設けられている。そして、図２０に示されるように、ビデオ信号出力端子１３１２にはテレビモニタ１４３０が、デ−タ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０２２９】
なお、本発明の電気光学装置を適用し得る電子機器としては、図１８のパーソナルコンピュータ、図１９の携帯電話、図２０のディジタルスチルカメラの他にも、例えば、テレビや、ビューファインダ型、モニタ直視型のビデオテープレコーダ、カーナビゲーション装置、ページャ、電子手帳（通信機能付も含む）、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置などが挙げられる。そして、これらの各種電子機器の表示部、モニタ部として、前述した表示装置（電気光学装置）が適用可能なことは言うまでもない。
【０２３０】
【発明の効果】
以上述べたように、本発明によれば、光源から発せられる光を効率良く透光窓部に集光させることができ、これにより、光源から発せられる光の使用効率を向上させることができる。
【０２３１】
特に、光源からの光の使用効率が極めて高い、バックライト方式の表示装置（直視型表示装置）を実現することができる。
【０２３２】
また、光変調素子を半透過半反射型液晶パネルで構成した場合には、反射膜（反射板）の面積を大きくし、その反射膜に設けられた開口（透光窓部）の面積を小さくしても、光源からの光を効率良く前記開口に集光させることができるので、前記開口を透過する光の光量を大きくすることができ、これにより、外光の反射率、光源からの光の透過率がともに高い、半透過半反射型の液晶表示装置を実現することができる。
【０２３３】
また、点光源のピッチを、マイクロレンズアレイを設けない状態において、光変調素子の各透光窓部を貫く面における複数の点光源からの光の光量が実質的に均一になるように設定した場合には、画素（透光窓部）間の光量差を小さく、または無くすことができ、これにより、均質な表示を行うことができる。
【０２３４】
また、点光源からの光が各透光窓部を貫く面上に結像し、前記面における点光源の像と透光窓部とが重なった部分の面積が、点光源の像と透光窓部とが相対的にずれた場合でも可及的に変化しないよう構成されている場合には、例えば、製造過程での誤差、位置ずれ、熱膨張、経時変化等によって点光源からの光の集光位置に多少のずれが生じたとしても、画素（透光窓部）間の光量差を小さく、または無くすことができ、これにより、均質な表示を行うことができる。
また、本発明は、各種電子機器に適用することができ、その利用範囲が広い。
【図面の簡単な説明】
【図１】  本発明の電気光学装置の第１実施形態の構成を模式的に示す縦断面図である。
【図２】  図１に示す表示装置において、光源部から発せられた光が、ハウジングの開口から出射するまでの経路（１回反射で出射）を模式的に示す図である。
【図３】  図１に示す表示装置において、光源部から発せられた光が、ハウジングの開口から出射するまでの経路（３回反射で出射）を模式的に示す図である。
【図４】  図１に示す表示装置において、光源部から発せられた光が、ハウジングの開口から出射するまでの経路（４回反射で出射）を模式的に示す図である。
【図５】  図１に示す表示装置において、式１、式２および式３の条件を満たし、かつ、ｎ＝１の場合における、光源手段の開口と、マイクロレンズアレイのマイクロレンズと、液晶パネルの開口との配置（Ｌｓ＝Ｌａ）を模式的に示す図である。
【図６】  図１に示す表示装置において、式１、式２および式３の条件を満たし、かつ、ｎ＝１の場合における、光源手段の開口と、マイクロレンズアレイのマイクロレンズと、液晶パネルの開口との配置（Ｌｓ＞Ｌａ）を模式的に示す図である。
【図７】  本発明の電気光学装置の第２実施形態の構成を模式的に示す縦断面図である。
【図８】  本発明の電気光学装置の第３実施形態の構成を模式的に示す縦断面図である。
【図９】  点光源のピッチＰｓを２．５（２．５σ）とした場合の、各点光源からの光の光量分布と、各点光源からの光を重ね合わせたときの光量分布とを示すグラフである。
【図１０】  点光源のピッチＰｓを１．７（１．７σ）とした場合の、各点光源からの光の光量分布と、各点光源からの光を重ね合わせたときの光量分布とを示すグラフである。
【図１１】  点光源のピッチＰｓと、光量比ｂ／ａとの関係を示すグラフである。
【図１２】  本発明の電気光学装置の第４実施形態であって、その液晶パネルの開口と、液晶パネルの各開口を貫く平面における光源手段の開口の像とを模式的に示す平面図である。
【図１３】  本発明の電気光学装置の第４実施形態であって、その液晶パネルの開口と、液晶パネルの各開口を貫く平面における光源手段の開口の像とを模式的に示す平面図である。
【図１４】  本発明の電気光学装置の第５実施形態であって、その液晶パネルの開口と、液晶パネルの各開口を貫く平面における光源手段の開口の像とを模式的に示す平面図である。
【図１５】  本発明の電気光学装置の第５実施形態であって、その液晶パネルの開口と、液晶パネルの各開口を貫く平面における光源手段の開口の像とを模式的に示す平面図である。
【図１６】  本発明の電気光学装置の第６実施形態であって、その液晶パネルの開口と、液晶パネルの各開口を貫く平面における光源手段の開口の像とを模式的に示す平面図である。
【図１７】  本発明の電気光学装置の第６実施形態であって、その液晶パネルの開口と、液晶パネルの各開口を貫く平面における光源手段の開口の像とを模式的に示す平面図である。
【図１８】  本発明の実施形態にかかる電気光学装置を適用したモバイル型のパーソナルコンピュータ（電子機器）の構成の例を示す斜視図である。
【図１９】  本発明の実施形態にかかる電気光学装置をその表示部に適用した携帯電話機（電子機器）の構成の例を示す斜視図である。
【図２０】  本発明の実施形態にかかる電気光学装置をそのファインダに適用したディジタルスチルカメラ（電子機器）の構成の例を示す斜視図である。
【符号の説明】
１              表示装置（電気光学装置）
２              光源手段
２１            光源部
２２            ハウジング
２２１          壁部
２３            突起
２４            反射膜
２５            開口
２６            像
２６１、２６３  短辺
２６２、２６４  長辺
３              マイクロレンズアレイ板
３０            基板
３１            マイクロレンズアレイ
３２            マイクロレンズ
４、４ａ        液晶パネル
４０            透明電極
４１            基板
４２            透明電極
４３            液晶層
４４            反射膜
４５            開口
４５１、４５３  短辺
４５２、４５４  長辺
４６            基板
４７、４８      偏光板
４９            ブラックマトリックス
４９１          開口
５              接着剤層
６１〜６４      光
７１            平面
１１００        パーソナルコンピュータ
１１０２        キーボード
１１０４        本体部
１１０６        表示ユニット
１２００        携帯電話機
１２０２        操作ボタン
１２０４        受話口
１２０６        送話口
１３００        ディジタルスチルカメラ
１３０２        ケース（ボディー）
１３０４        受光ユニット
１３０６        シャッタボタン
１３０８        回路基板
１３１２        ビデオ信号出力端子
１３１４        データ通信用の入出力端子
１４３０        テレビモニタ
１４４０        パーソナルコンピュータ
【図１】
0004006983.tif 000002
【図２】
0004006983.tif 000003
【図３】
0004006983.tif 000004
【図４】
0004006983.tif 000005
【図５】
0004006983.tif 000006
【図６】
0004006983.tif 000007
【図７】
0004006983.tif 000008
【図８】
0004006983.tif 000009
【図９】
0004006983.tif 000010
【図１０】
0004006983.tif 000011
【図１１】
0004006983.tif 000012
【図１２】
0004006983.tif 000013
【図１３】
0004006983.tif 000014
【図１４】
0004006983.tif 000015
【図１５】
0004006983.tif 000016
【図１６】
0004006983.tif 000017
【図１７】
0004006983.tif 000018
【図１８】
0004006983.tif 000019
【図１９】
0004006983.tif 000020
【図２０】
0004006983.tif 000021